(57)【要約】【課題】意匠性を向上した遊技機を提供する。【解決手段】遊技球が転動する遊技領域１１６が前面に形成された遊技盤と、遊技盤が保持される遊技盤保持枠（中枠）を少なくとも含む開閉可能に支持された１または複数の枠体（外枠、中枠、前枠１０６）と、前枠１０６から遊技領域１１６の前面に突出し、少なくとも遊技領域１１６の前面に対向する部位に、遊技領域１１６を転動する遊技球を視認可能な可視部４０６を有する意匠ユニット４００とを備える遊技機。【選択図】図３
2019063453.tif 000002
【特許請求の範囲】
【請求項１】
遊技球が転動する遊技領域が前面に形成された遊技盤と、
前記遊技盤が保持される遊技盤保持枠を少なくとも含む開閉可能に支持された１または複数の枠体と、
前記枠体から前記遊技領域の前面に突出し、少なくとも前記遊技領域の前面に対向する部位に、前記遊技領域を転動する遊技球を視認可能な可視部を有する構造体と、
を備える遊技機。
【請求項２】
前記遊技盤の前面には、遊技球が転動しない非遊技領域が形成され、
前記構造体は、前記枠体から前記遊技領域の前面および前記非遊技領域の前面に突出し、前記非遊技領域の前面に対向する部位に、前記可視部よりも視認性が低い装飾部を有する請求項１に記載の遊技機。
【発明の詳細な説明】
【技術分野】
【０００１】
本発明は、遊技球が転動する遊技領域が前面に形成された遊技盤を備えた遊技機に関する。
【背景技術】
【０００２】
従来、始動口に遊技球が入球したことを条件として大役抽選が行われ、大役抽選により大当たりに当選すると、大役遊技が実行される遊技機が知られている。また、例えば特許文献１に示されるように、前扉の右側部に演出役物が設けられ、この演出役物を含む前扉の左右側および上方側を略コの字状の光透過性を有する装飾カバーで覆った遊技機が知られている。
【先行技術文献】
【特許文献】
【０００３】
【特許文献１】特開２０１４−１５１１０８号公報
【発明の概要】
【発明が解決しようとする課題】
【０００４】
上記の遊技機においては、前扉の右側部に設けられた演出役物を左側および右側から視認可能であること以外、何等、意匠性を向上させることに寄与しておらず、意匠性が乏しいという課題がある。
【０００５】
本発明は、意匠性を向上した遊技機を提供することを目的とする。
【課題を解決するための手段】
【０００６】
上記課題を解決するために、本発明の遊技機は、遊技球が転動する遊技領域が前面に形成された遊技盤と、前記遊技盤が保持される遊技盤保持枠を少なくとも含む開閉可能に支持された１または複数の枠体と、前記枠体から前記遊技領域の前面に突出し、少なくとも前記遊技領域の前面に対向する部位に、前記遊技領域を転動する遊技球を視認可能な可視部を有する構造体と、を備える。
【０００７】
また、前記遊技盤の前面には、遊技球が転動しない非遊技領域が形成され、前記構造体は、前記枠体から前記遊技領域の前面および前記非遊技領域の前面に突出し、前記非遊技領域の前面に対向する部位に、前記可視部よりも視認性が低い装飾部を有するとよい。
【発明の効果】
【０００８】
本発明の遊技機によれば、意匠性を向上することが可能となる。
【図面の簡単な説明】
【０００９】
【図１】扉が開放された状態を示す遊技機の斜視図である。
【図２】遊技盤の正面図である。
【図３】遊技機の正面図である。
【図４】意匠ユニットと演出役物装置との位置関係を説明する図である。
【図５】意匠ユニットの背面側の斜視図である。
【図６】意匠ユニットの左右側面図である。
【図７】組み付けユニットの上面側の斜視図である。
【図８】組み付けユニットの下面側の斜視図である。
【図９】意匠ユニットの前枠への取り付け方を説明する拡大図である。
【図１０】扉が閉鎖された状態を示す遊技機の斜視図である。
【図１１】扉が開放され、意匠ユニットのロックが解除された状態を示す遊技機の斜視図である。
【図１２】扉が開放され、意匠ユニットが取り外された状態を示す遊技機の斜視図である。
【図１３】意匠ユニットが取り外された状態の遊技機の正面図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１２】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１３】
図２は、遊技盤１０８の正面図である。上記したように、中枠１０４および前枠１０６が外枠１０２に対して閉じられた状態では、遊技盤１０８の正面に離隔して透過板１１０が対向する。このとき、透過板１１０と遊技盤１０８の正面との間に、遊技球が転動する遊技領域１１６が形成される。遊技領域１１６は、発射機構の発射強度に応じて遊技球の進入度合いを互いに異にする左打ち領域１１６ａおよび右打ち領域１１６ｂを含む。左打ち領域１１６ａは、遊技機１００に正対した遊技者から見て遊技盤１０８の左側に位置し、右打ち領域１１６ｂは、遊技機１００に正対した遊技者から見て遊技盤１０８の右側に位置している。
【００１４】
遊技盤１０８には、レール１１４ａ、１１４ｂが固定されている。レール１１４ｂは、遊技盤１０８の下端から左上方に向けて延在するとともに、遊技盤１０８の鉛直方向の略中央から右上方に向けて延在する。このレール１１４ｂは、遊技盤１０８の下部から上部まで、図示のように湾曲して延在しており、遊技領域１１６を囲繞形成する。また、レール１１４ａは、遊技盤１０８の左側であって、レール１１４ｂよりも遊技領域１１６の内側に設けられている。レール１１４ａ、１１４ｂが遊技領域１１６の左側にあることから、左打ち領域１１６ａには、所定の発射強度未満で発射された遊技球が進入し、右打ち領域１１６ｂには、所定の発射強度以上で発射された遊技球が進入することとなる。
【００１５】
また、遊技盤１０８には、厚み方向（遊技機１００の前後方向）に貫通する貫通孔１０８ａが形成されている。遊技盤１０８における非遊技領域（貫通孔１０８ａ）には、演出役物装置２０２と同時に、または、演出役物装置２０２に代えて演出用の画像が表示される不図示の液晶表示器が設けられたものとすることができる。または、遊技盤１０８の背面に液晶表示器が設けられ、遊技者が、貫通孔１０８ａを介して、液晶表示器に表示される画像を視認可能としてもよい。なお、遊技盤１０８の正面には、遊技領域１１６を流下、転動する遊技球が貫通孔１０８ａに脱落しないように、貫通孔１０８ａの全周に亘って透過板１１０側に起立する壁部が設けられている。
【００１６】
また、遊技領域１１６には、左打ち領域１１６ａと右打ち領域１１６ｂとを繋ぐ上部通路１１４ｃが含まれている。この上部通路１１４ｃは、貫通孔１０８ａの上方に設けられている。
【００１７】
また、遊技領域１１６には、遊技球が入球可能な一般入賞口１１８、始動口１２０が設けられており、これら一般入賞口１１８、始動口１２０に遊技球が入球すると、それぞれ所定の賞球が遊技者に払い出される。なお、賞球数は１個以上であれば何個でもよく、また、一般入賞口１１８、始動口１２０のそれぞれで払い出す賞球数を異ならせてもよいし、同じ賞球数に設定してもよい。
【００１８】
また、始動口１２０内には始動領域が設けられている。そして、始動口１２０に遊技球が入球して始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、始動口１２０に遊技球が入球すると、所定の賞球を獲得するのと同時に、種々の遊技利益を受ける権利獲得の機会を獲得することとなる。
【００１９】
さらに、遊技領域１１６には、遊技球が入球可能な大入賞口１２６が設けられている。この大入賞口１２６には、開閉扉１２６ｂが開閉可能に設けられており、通常、開閉扉１２６ｂが大入賞口１２６を閉鎖して、大入賞口１２６への遊技球の入球が不可能となっている。これに対して、前述の大役遊技が実行されると、開閉扉１２６ｂが開放されて、大入賞口１２６への遊技球の入球が可能となる。そして、大入賞口１２６に遊技球が入球すると、所定の賞球が遊技者に払い出される。
【００２０】
なお、遊技領域１１６の最下部には、一般入賞口１１８、始動口１２０、大入賞口１２６のいずれにも入球しなかった遊技球を、遊技領域１１６から遊技盤１０８の背面側に排出する排出口１２８が設けられている。
【００２１】
そして、遊技盤１０８には、遊技の進行中等に演出を行う演出装置として、可動装置からなる演出役物装置２０２が設けられている。
【００２２】
演出役物装置２０２は、発光体２０２ａと、発光体２０２ａの周囲を回転可能な回転体２０２ｂと、回転体２０２ｂを回転させる駆動モーター２０２ｃとを有する、所謂、回転灯である。
【００２３】
図３は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、上記したように、遊技盤１０８に設けられたレール１１４ａ、１１４ｂ間を上昇して遊技領域１１６に導かれることとなる。
【００２４】
また、遊技機１００には、遊技の進行中等に演出を行う演出装置として、さまざまな点灯態様や発光色に制御されるランプからなり、遊技機１００に正対した遊技者から見て前枠１０６の右上に位置する第１の演出照明装置２０４ａ、後述する箱体４１４の背面に位置する第２の演出照明装置２０４ｂ（図１３参照）が設けられている。さらに、遊技機１００には、スピーカからなる音声出力装置２０６、遊技者の押下操作を受け付ける演出ボタン２０８ａ、遊技者の手前方向に引く操作を受け付ける演出ハンドル２０８ｂが設けられている。
【００２５】
また、上記の演出役物装置２０２（図２参照）の正面側には、前枠１０６と別部材で構成された意匠ユニット４００が配置されている。意匠ユニット４００は、主に、遊技領域１１６を転動する遊技球を視認可能な可視部４０６と、可視部４０６の下部に取り付けられる略半円柱状の台座部４０８と、台座部４０８の下部に取り付けられる略球の一部である球状部４１０と、可視部４０６の上方に位置し、遊技機１００の機種名等の情報を掲示する掲示部４１２と、掲示部４１２および可視部４０６が取り付けられる箱体４１４とを有する。
【００２６】
意匠ユニット４００は、前枠１０６の上部から、遊技領域１１６および遊技球が転動しない非遊技領域である貫通孔１０８ａの前面に突出するように設けられている。つまり、意匠ユニット４００は、透過板１１０の前面に突出して対向している。また、遊技領域１１６（上部通路１１４ｃ）の前面に対向する部位には、可視部４０６が位置している。可視部４０６は、無色透明の部材で構成されており、上部通路１１４ｃを通過する遊技球を遊技者が視認可能となっている。一方、台座部４０８および球状部４１０は、可視部４０６よりも視認性が低い部材で構成されており、非遊技領域（貫通孔１０８ａ）の前面に対向する部位に位置している。具体的には、台座部４０８は、反射性を有する部材で構成され、球状部４１０は、有色（例えば、赤色）の半透明の部材で構成されており、所謂、パトランプの形態を成している。なお、図３では、可視部４０６に比べて、台座部４０８および球状部４１０の視認性が低いことが分かりやすいように、台座部４０８および球状部４１０にハッチングを設けている。
【００２７】
また、掲示部４１２および箱体４１４は光透過性を有する部材で構成されており、箱体４１４の背面に位置する前枠１０６の第２の演出照明装置２０４ｂ（図１３参照）の発した光を透過する。これにより、実際には第２の演出照明装置２０４ｂが発光しているにもかかわらず、遊技者には掲示部４１２および箱体４１４が発光しているように見えることとなる。これにより、意匠ユニット４００側に電気的な装置を配置せずに、電飾による視覚効果を奏することが可能となるので、配線等が簡略化され、製造コストの増加を抑えることが可能となる。
【００２８】
図４は、意匠ユニット４００と演出役物装置２０２との位置関係を説明する図である。ここでは、意匠ユニット４００および透過板１１０を断面で記載している。なお、図４では、他の図面における掲示部４１２と、形状が異なるものについて記載している。図４に示すように、意匠ユニット４００における透過板１１０の前面に突出する部分の背面側に、演出役物装置２０２が配置されている。また、球状部４１０の外形と、演出役物装置２０２の外形が略一致しているため、遊技者には、意匠ユニット４００と演出役物装置２０２とが一体の部材で形成された役物（パトランプ）であるかのように見えることとなる。そして、球状部４１０を半透明の部材で構成することにより、球状部４１０の背面に位置する演出役物装置２０２の発光体２０２ａの光が透過するので、パトランプが透過板１１０を突き抜けて形成されていると遊技者が錯覚することとなり、意匠性を大きく向上することが可能となる。一方で、可視部４０６により、上部通路１１４ｃを通る遊技球の視認性を確保することで、意匠性を向上しつつ、遊技への支障を来すことを防止することができる。
【００２９】
図５は、意匠ユニット４００の背面側の斜視図である。図５（ａ）は意匠ユニット４００のロック解除状態を示し、図５（ｂ）は意匠ユニット４００のロック状態を示す。図５（ａ）、（ｂ）に示すように、球状部４１０の背面側には蓋部４２４が取り付けられている。蓋部４２４は半透明の部材で構成され、透過性を有しているため、球状部４１０の背面に位置する演出役物装置２０２の発光体２０２ａの光が透過可能となっている。また、蓋部４２４により、中空状の球状部４１０の内部へのいたずら等を防止することができる。
【００３０】
また、蓋部４２４の外周には、意匠ユニット４００と透過板１１０とが直接接触することを防止する緩衝材４２０ａを設けるための溝部４２２が設けられており、この溝部４２２に沿って複数の緩衝材４２０ａが設置されている。
【００３１】
なお、溝部４２２に複数の緩衝材４２０ａを配置せずに、溝部４２２の形状に沿って、円弧状の緩衝材を配置してもよい。緩衝材４２０ａは、意匠ユニット４００と透過板１１０とが直接接触することを防止することができればよく、ゴム等の弾性部材を用いることができる。このようにして緩衝材４２０ａを設けることにより、意匠ユニット４００と透過板１１０とが接触することによって、透過板１１０が破損することを防止することができる。さらに、意匠ユニット４００の破損も防止できる。または、緩衝材４２０ａとして、透明あるいは、球状部４１０と同じ色の材質からなるものを用いてもよい。このようなものであれば、遊技者から緩衝材４２０ａを視認し難くなるので、意匠性が損なわれることを防止することができる。一方、可視部４０６の背面には、視認性を十分に確保するため、緩衝材４２０ａは配置されていない。
【００３２】
また、箱体４１４の内側において、箱体４１４の内側表面と前枠１０６との接触を防止する緩衝材４２０ｂが配置されている。このようにして緩衝材４２０ｂを配置することによって、箱体４１４と前枠１０６とが接触して、前枠１０６が破損することを防止することができる。
【００３３】
箱体４１４の左右両端は、前枠１０６の表面形状に合わせて切欠４３０が形成されている。この切欠４３０により、前枠１０６と意匠ユニット４００との一体感を向上させることが可能となる。また、意匠ユニット４００の背面付近に設けられた音声出力装置２０６（図１３参照）に対応する位置には、音声出力装置２０６による音声出力への妨げを防止するために、スピーカー用穴部４３２が形成されている。また、箱体４１４の上面には、意匠ユニット４００を前枠１０６に取り付けるための組み付けユニット５００が設けられている。
【００３４】
図６は、意匠ユニット４００の左右側面図である。図６（ａ）は意匠ユニット４００の左側面図を示し、図６（ｂ）は右側面図を示す。図６（ａ）、（ｂ）に示すように、可視部４０６、台座部４０８および球状部４１０よりも、掲示部４１２および箱体４１４の方が、遊技機１００の正面側（遊技者側）により突出している。掲示部４１２および箱体４１４よりも、可視部４０６、台座部４０８および球状部４１０の方が、遊技機１００に正対して座っている遊技者により近い位置にあるため、上記のようにして、可視部４０６、台座部４０８および球状部４１０の正面側への突出量を抑えることで、遊技者に与える圧迫感を抑えることができる。
【００３５】
図７は、組み付けユニット５００の上面側の斜視図である。図７（ａ）がロック解除状態を示し、図７（ｂ）がロック状態を示す。図７（ａ）に示すように、組み付けユニット５００は、箱体４１４に直接固定される収納部５０２と、収納部５０２の下面と箱体４１４の上面との間に形成される空間にスライドして収納されるスライド部５０４と、後述する前枠１０６の被係止部１０６ａに係止するために先端がコの字状に折り曲げられた係止部５０６ａを備える取り付け部５０６とを有する。なお、スライド部５０４、取り付け部５０６および係止部５０６ａは、１枚の金属板が板金加工されたものである。
【００３６】
スライド部５０４には、スライドレール５０４ａが２か所形成されており、このスライドレール５０４ａに後述するガイド部材５０２ｂがはめ込まれることによって、スライド部５０４の前後方向（図中、正面背面方向）のスライド動作を補助する。
【００３７】
また、各スライドレール５０４ａの外側には、フック受け５０４ｂが形成されており、図７（ｂ）に示すように、スライド部５０４を前方（図中、正面方向）へスライドさせ、収納部５０２にスライド部５０４が収納された際に、収納部５０２に形成されたフック５０２ａがフック受け５０４ｂと噛合し、スライド部５０４の動きが制限される。なお、取り付け部５０６の上面には、作業者にスライド部５０４のスライド方法を報知する文言（「フックをもち上げながら引き出す」）が印字されている。
【００３８】
図８は、組み付けユニット５００の下面側の斜視図である。図８（ａ）がロック解除状態を示し、図８（ｂ）がロック状態を示す。図８（ａ）に示すように、収納部５０２の下面には、突起状のガイド部材５０２ｂが形成されており、このガイド部材５０２ｂがスライドレール５０４ａにはめ込まれることによって、スライド部５０４の前後方向のスライド動作を補助する。なお、スライドレール５０４ａは、背面側よりも正面側のほうが開口が大きくなるように形成されており、これにより、スライド部５０４のスライド動作をスムーズに行うことができるようになっている。
【００３９】
図９は、意匠ユニット４００の前枠１０６への取り付け方を説明する拡大図である。扉を開放した状態において、意匠ユニット４００の前枠１０６への取り付け、および前枠１０６からの意匠ユニット４００の取り外しが、実行可能となっている。まず、図９（ａ）に示すように、箱体４１４の上面に設けられた組み付けユニット５００のスライド部５０４がすべて後方へスライドしている状態で、前枠１０６の上方に意匠ユニット４００を被せるように配置する。
【００４０】
そして、収納部５０２にスライド部５０４がすべて収納されるまでスライド部５０４を前方へスライドさせ、収納部５０２に形成されたフック５０２ａとフック受け５０４ｂとを噛合させる。このとき、図９（ｂ）に示すように、取り付け部５０６の係止部５０６ａを、前枠１０６の外周部（被係止部１０６ａ）に引っ掛けるように係止させる。このようにして意匠ユニット４００と前枠１０６とが係止された状態で扉を閉鎖すると、係止部５０６ａが前枠１０６と外枠１０２との間に挟まれることとなるので、遊技中に意匠ユニット４００が外枠１０２から外れて落下することを防止することができる。なお、スライド部５０４、取り付け部５０６および係止部５０６ａを形成する金属板の厚さは、前枠１０６と外枠１０２との間に挟まれた状態であっても、扉の閉鎖（前枠１０６と外枠１０２との閉鎖）を阻害しない程度の厚さであればよい。
【００４１】
図１０は、扉が閉鎖された状態を示す遊技機１００の斜視図である。上記のように、意匠ユニット４００を取り付けた状態で扉の開閉（前枠１０６と外枠１０２との閉鎖および開放）を行うため、隣り合う遊技機同士で干渉するのを防止するために、図１０に示すように、扉のヒンジが配置されている側（左側）の箱体４１４の奥行きは、扉のヒンジが配置されてない側（右側）の箱体４１４の奥行きに比べて狭くなっている。
【００４２】
図１１は、扉が開放（前枠１０６と外枠１０２とが開放）され、意匠ユニット４００のロックが解除された状態を示す遊技機１００の斜視図である。図１１に示すように意匠ユニット４００のロックが解除された状態で、意匠ユニット４００を上方に持ち上げることで、意匠ユニット４００を取り外すことができる。図１２は、扉が開放され、意匠ユニット４００が取り外された状態を示す遊技機１００の斜視図である。また、図１３は、意匠ユニット４００が取り外された状態の遊技機１００の正面図である。このようにすることで、工具等を使用せずに、意匠ユニット４００の取り外しを行うことが可能となる。これにより、遊技機１００を設置する際における作業者への負担を軽減することが可能となる。特に、遊技場における管理者（ホール店員）等の遊技機メーカーの人間以外でも、簡単に意匠ユニット４００の取り外しを行うことが可能となるので、故障時やメンテナンス時における作業性の向上に寄与することができる。また、遊技盤１０８と意匠ユニット４００とを取り付ければよいので、枠体（外枠１０２、中枠１０４、前枠１０６）自体は、従来のものを流用することが可能となり、製造コストを低減することが可能となる。
【００４３】
そして、意匠ユニット４００を取り付けることにより、前枠１０６や遊技盤１０８の交換をせずに、遊技機１００の意匠性を大きく向上することができる。特に、遊技機１００の前枠１０６の上部には、遊技者の視線が集まりやすく、この部分に取り付けられた意匠ユニット４００の存在により遊技者が受ける印象が大きく変化する。この意匠ユニット４００は、遊技盤１０８を他の機種に切り替える際に交換してもよいし、遊技盤１０８とは関係なく単独で交換してもよい。そのため、意匠ユニット４００を取り付けた状態（図３）と、意匠ユニット４００を取り外した状態（図１３）とで、それぞれ完成状態の別機種として運用することが可能である。また、意匠ユニット４００は、遊技盤１０８とともに出荷（販売）してもよいし、遊技盤１０８とは別に単独で出荷（販売）してもよい。
【００４４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４５】
また、上記実施形態では、意匠ユニット４００が前枠１０６の上部に取り外し可能に設けられる場合を示したが、意匠ユニット４００が前枠１０６と一体に成型されたものとしてもよい。また、意匠ユニット４００が取り付けられる位置を前枠１０６の上部とせずに、前枠１０６の左部・右部・下部のいずれに意匠ユニット４００が取り付けられてもよい。すなわち、意匠ユニット４００を、前枠１０６の上下左右のいずれの方向から遊技領域１１６の前面に突出させてもよい。また、意匠ユニット４００が設けられるのは、いずれかの枠体（外枠１０２、中枠１０４、前枠１０６）であればよく、特に限定されない。
【００４６】
また、上記実施形態のように意匠ユニット４００を前枠１０６の上部だけに配置するのではなく、例えば、前枠１０６の上部に機種名等の情報を掲示する掲示部４１２のみを配置したり、前枠１０６の左部・右部それぞれに掲示部４１２を配置してもよい。または、意匠ユニット４００の形状をＬ字状やコの字状として、前枠１０６の外周の二辺または三辺にまたがるように配置してもよい。
【００４７】
また、上記実施形態では、意匠ユニット４００に電気的な装置を設けない場合について示したが、意匠ユニット４００に演出照明装置を設けてもよい。この場合、例えば、上部通路１１４ｃを下方へ移動させて非遊技領域を形成して、この非遊技領域に対向する部分にのみ演出照明装置を設けてもよい。このようにすれば、演出照明装置の配線により、遊技領域１１６を転動する遊技球の視認性を妨げることを防止することができる。
【００４８】
また、上記実施形態では、可視部４０６が無色透明の材質である場合を示したが、可視部４０６は、少なくとも遊技領域１１６を転動する遊技球を視認可能であればよく、例えば、半透明であってもよい。
【００４９】
また、上記実施形態では、球状部４１０の外形と、演出役物装置２０２の外形とを略一致させる場合を示したが、単に意匠ユニット４００の背面側に演出役物装置２０２を配置し、その外形の形状を一致させずともよい。
【００５０】
また、上記実施形態では、緩衝材４２０ａが意匠ユニット４００側に設けられる場合を示したが、例えば、緩衝材４２０ａを、透過板１１０側に設けたり、あるいは、緩衝材４２０ａを意匠ユニット４００および透過板１１０と別体で設けてもよい。すなわち、緩衝材４２０ａは、少なくとも意匠ユニット４００と透過板１１０との間に、視認性を阻害しない形で配置されていることが好ましい。また、上記実施形態では、可視部４０６の背面には、緩衝材が配置されていない場合を示したが、可視部４０６の背面に緩衝材を配置してもよい。この場合、可視部４０６の背面に配置される緩衝材は、透過性を有する部材を用いることが好適である。
【００５１】
また、上記実施形態では、演出役物装置２０２が、遊技機１００に正対した遊技者から見て中央上方に位置する場合を示したが、演出役物装置２０２の位置は特に限定されない。例えば、遊技領域１１６より内側であって、右打ち領域１１６ｂに隣接する位置に演出役物装置２０２を設けてもよい。この場合、意匠ユニット４００の可視部４０６の形状は、遊技球の流下経路（ここでは、右打ち領域１１６ｂにおける遊技球の流下経路の形状）に合わせて形成すればよい。
【００５２】
なお、上記実施形態における中枠１０４が、本発明の遊技盤保持枠に相当する。
また、上記実施形態における外枠１０２、中枠１０４、前枠１０６が、本発明の１または複数の枠体に相当する。
また、上記実施形態における意匠ユニット４００が、本発明の構造体に相当する。
また、上記実施形態における台座部４０８および球状部４１０が、本発明の装飾部に相当する。
【符号の説明】
【００５３】
１００  遊技機
１０２  外枠
１０４  中枠
１０６  前枠
１０６ａ  被係止部
１０８  遊技盤
１０８ａ  貫通孔
１１０  透過板
１１６  遊技領域
２０２  演出役物装置
４００  意匠ユニット
４０６  可視部
４２０ａ  緩衝材
５０６ａ  係止部
【図１】
2019063453.tif 000003
【図２】
2019063453.tif 000004
【図３】
2019063453.tif 000005
【図４】
2019063453.tif 000006
【図５】
2019063453.tif 000007
【図６】
2019063453.tif 000008
【図７】
2019063453.tif 000009
【図８】
2019063453.tif 000010
【図９】
2019063453.tif 000011
【図１０】
2019063453.tif 000012
【図１１】
2019063453.tif 000013
【図１２】
2019063453.tif 000014
【図１３】
2019063453.tif 000015